(57)【要約】生体胚子宮内移植固定器具１０は、子宮内に挿入される生体胚子宮内移植具１と、生体に取り付けられる胚収納容器磁気的保持具（移植胚固定具）６とを備える。生体胚子宮内移植具１は、外部と連通する胚挿入部４４を有する胚収納部４２と、磁性体４３とを備える胚収納容器４と、胚収納容器４を先端部に離脱可能に保持するシャフト状の容器移送具５とを備える。容器磁気的保持具６は、生体表皮への装着部６３と、胚収納容器４の磁性体４３を吸引可能な磁石６２とを備える。
2018135496.tif 000002
【特許請求の範囲】
【請求項１】
生体胚を子宮内に移植するための生体胚子宮内移植固定器具であって、
前記生体胚子宮内移植固定器具は、
胚収納容器を備え、子宮内に挿入される生体胚子宮内移植具と、
生体に取り付けられ、前記胚収納容器を磁気的に吸引する胚収納容器磁気的保持具とを備え、
前記胚収納容器は、外部と連通する胚挿入部を有する胚収納部と、磁性体とを備え、
前記生体胚子宮内移植具は、前記胚収納容器を先端部に離脱可能に保持するシャフト状の容器移送具とを備え、
前記容器磁気的保持具は、生体表皮への装着部と、前記胚収納容器の前記磁性体を吸引可能な磁石とを備えることを特徴とする生体胚子宮内移植固定器具。
【請求項２】
前記容器移送具は、可撓性シースと、前記可撓性シース内に摺動可能に挿入された可撓性シャフトを備える請求項１に記載の生体胚子宮内移植固定器具。
【請求項３】
前記可撓性シースは、先端部に前記胚収納容器を収納する容器収納部を備える請求項２に記載の生体胚子宮内移植固定器具。
【請求項４】
前記容器移送具は、可撓性シースと、前記可撓性シース内に摺動可能に挿入された可撓性シャフトと、前記可撓性シースの先端部内部もしくは前記可撓性シャフトの先端部に設けられ、前記胚収納容器の前記磁性体を吸引するための永久磁石を備える請求項１ないし３のいずれかに記載の生体胚子宮内移植固定器具。
【請求項５】
前記胚収納容器の前記磁性体は、永久磁石である請求項１ないし４のいずれかに記載の生体胚子宮内移植固定器具。
【請求項６】
前記胚収納容器は、前記胚挿入部を有するとともに、容器内部と外部とを連通する開口を備え、かつ前記開口の幅は、前記胚挿入部の最大径より小さいものとなっている請求項１ないし５のいずれかに記載の生体胚子宮内移植固定器具。
【請求項７】
前記胚収納容器の前記磁性体は、収納容器形成材料に含有された多数の微少磁性体である請求項１ないし６のいずれかに記載の生体胚子宮内移植固定器具。
【請求項８】
前記胚収納容器は、多数の気泡を含有している請求項１ないし７のいずれかに記載の生体胚子宮内移植固定器具。
【請求項９】
前記容器移送具は、シャフトと、前記シャフトの先端部に設けられ、前記胚収納容器の前記磁性体を吸引可能な電磁石と、前記電磁石に電力を供給する電力供給部を備える請求項１に記載の生体胚子宮内移植固定器具。
【請求項１０】
前記胚収納容器磁気的保持具は、下部シートと、前記下部シートの下面に固定された前記磁石と、前記下部シートの下面に設けられた粘着面を備える請求項１ないし９のいずれかに記載の生体胚子宮内移植固定器具。
【請求項１１】
前記生体胚子宮内移植固定器具は、一端が前記胚収納容器に固定され、他端が前記容器移送具の後端方向に延びる回収用線状部材を備えている請求項１ないし９のいずれかに記載の生体胚子宮内移植固定器具。
【請求項１２】
前記生体胚子宮内移植固定器具は、線状部材挿通部を備え、前記線状部材の他端部は、前記線状部材挿通部の基端部より、前記容器移送具の外部に延出している請求項１１に記載の生体胚子宮内移植固定器具。
【請求項１３】
前記胚収納容器は、前記胚収納部に培養液を流通させるための流通路を備えている請求項１ないし１２のいずれかに記載の生体胚子宮内移植固定器具。
【発明の詳細な説明】
【技術分野】
【０００１】
本発明は、哺乳動物の胚の子宮内への移植および移植胚の子宮内膜への着床まで子宮内の適宜部位に保持させるための生体胚子宮内移植固定器具に関する。
【背景技術】
【０００２】
近年、出産年齢の高齢化などの要因により、生殖補助医療、特に、体外受精が増加している。２０１３年には、３５万件を超えたとの報告もある。体外受精は、利用者の卵巣から取り出した卵子を体外で受精させ、その胚を一定期間培養した後に、胚移植具を用いて子宮内に移植するものである。
受精卵は、２４時間程度で４分割胚に、さらに２４時間程度で８分割胚に、その後、桑実胚に、そして、胚盤胞へと成長する。胚移植は、桑実胚、胚盤胞の移植も可能であるが、移植操作の容易性等より、４分割胚、８分割胚が利用されることが多い。いずれの胚においても、子宮内移植後、直ちに子宮内膜に着床するのではなく、着床までには、ある程度の時間が必要である。この着床での期間、胚は、生体内を移動可能である。胚の卵管付近への移動が子宮外妊娠の要因となり、子宮口付近への移動が、前置胎盤の要因になる。移植胚は、子宮の適宜部位に着床まで保持されることが望ましい。【０００３】
特表２０１１−５１２２１９（特許文献１）には、回収可能な子宮内システムが提案されている。特許文献１の回収可能な子宮内システムは、胚、雄性および／または雌性の配偶子、受精した卵母細胞、未受精卵、およびこれらの要素の組み合わせを含む群から選択される１つまたは複数の要素を含有するように設計された容器（１０）と、当該回収可能な子宮内システムを子宮内に保定するための保定装置（２０）とを含む。保定装置（２０）は、子宮頚部のベアリングによって保定されるように設計された変形可能な要素（２１）を含むものとなっている。【０００４】
特表２００９−５４４３４８（特許文献２）にも、回収可能な子宮内システムが提案されている。特許文献２の回収可能な子宮内システムには、胚、雄性および／または雌性の配偶子、受精卵母細胞、未受精卵、ならびにこれら要素の組合せを含む群より選択される１つまたは複数の要素を含有でき、かつ軸（Ｘ）に沿って遠位端（１２）および近位端（１３）を有するハウジング（１０）と、回収可能な子宮内デバイスを子宮内に保持するためのデバイス（２０）とが含まれる。保持デバイス（２０）は、ハウジング（１０）の近位端（１３）に配置され、かつ、子宮腔内で少なくとも以下の２つの位置を取ることができる少なくとも１つの保持アーム（２３）を含む：少なくとも１つの保持アーム（２３）が軸（Ｘ）から離れている１つの自由位置；および、少なくとも１つの保持アーム（２３）が軸（Ｘ）に実質的に平行である格納位置を備えている。【０００５】
特表２００９−５２１２９６（特許文献３）には、胚移植具が開示されている。特許文献３のものは、胚、雄性および／または雌性の配偶子、受精卵母細胞、未受精卵、ならびにそれらの組合せを含む群より選択される１つまたは複数の要素を含有するハウジング（１１）を含む、回収可能な子宮内器具であって、ハウジング（１１）に生体適合性材料で作られた壁が設けられた、子宮内器具である。壁には、子宮内媒質をハウジング（１１）と細胞接触状態にさせ、かつ要素をその中に保つために十分なサイズである穿孔（１２，１２’）の列が設けられる。この器具は、胚、雄性および／または雌性の配偶子、受精卵母細胞、未受精卵、ならびにそれらの組合せからなる群より選択される１つまたは複数の要素を装填しかつ取り出すためのシステムを備える。
【先行技術文献】
【特許文献】
【０００６】
【特許文献１】特表２０１１−５１２２１９（ＵＳ公開２０１１−２７５８８５）
【特許文献２】特表２００９−５４４３４８（ＵＳ公開２００９−２９９１２９、ＵＳＰ８３３３６８８）
【特許文献３】特表２００９−５２１２９６（ＵＳ公開２００９−０１２３５２）
【発明の概要】
【発明が解決しようとする課題】
【０００７】
特許文献１および２のものは、回収可能であるが、ある程度の大きさを有するため、子宮内配置作業、子宮内からの回収作業が容易ではなく、長い期間ではないが、子宮内に留置されるため、利用者に望ましくない違和感を与える。特許文献３のものでは、子宮内器具の子宮内配置、子宮内からの回収をどのように行うことができるのか不明である。
本発明の目的は、子宮内の適宜部位への胚の移送を容易に行え、移送された胚を適宜部位にて保持できる生体胚子宮内移植固定器具を提供するものである。
【課題を解決するための手段】
【０００８】
上記目的を達成するものは、以下のものである。
生体胚を子宮内に移植するための生体胚子宮内移植固定器具であって、前記生体胚子宮内移植固定器具は、胚収納容器を備え、子宮内に挿入される生体胚子宮内移植具と、生体に取り付けられ、前記胚収納容器を磁気的に吸引する胚収納容器磁気的保持具とを備え、前記胚収納容器は、外部と連通する胚挿入部を有する胚収納部と、磁性体とを備え、前記生体胚子宮内移植具は、前記胚収納容器を先端部に離脱可能に保持するシャフト状の容器移送具とを備え、前記容器磁気的保持具は、生体表皮への装着部と、前記胚収納容器の前記磁性体を吸引可能な磁石とを備える生体胚子宮内移植固定器具。
【図面の簡単な説明】
【０００９】
【図１】図１は、本発明の生体胚子宮内移植固定器具の一実施例の正面図である。
【図２】図２は、図１に示した生体胚子宮内移植固定器具に用いられている生体胚子宮内移植具の部分縦断面図である。
【図３】図３は、図１に示した生体胚子宮内移植固定器具に用いられている胚収納容器の拡大正面図である。
【図４】図４は、図３に示した胚収納容器の平面図である。
【図５】図５は、図３のＡ−Ａ線断面図である。
【図６】図６は、本発明の生体胚子宮内移植固定器具に用いられる他の実施例の胚収納容器の拡大正面図である。
【図７】図７は、図６に示した胚収納容器の平面図である。
【図８】図８は、図６のＢ−Ｂ線断面図である。
【図９】図９は、本発明の生体胚子宮内移植固定器具に用いられる他の実施例の胚収納容器の拡大縦断面図である。
【図１０】図１０は、本発明の生体胚子宮内移植固定器具に用いられる他の実施例の胚収納容器の拡大縦断面図である。
【図１１】図１１は、本発明の生体胚子宮内移植固定器具に用いられる他の実施例の胚収納容器の拡大縦断面図である。
【図１２】図１２は、図１に示した生体胚子宮内移植固定器具に用いられている胚収納容器磁気的保持具の平面図である。
【図１３】図１３は、図１２のＣ−Ｃ線断面図である。
【図１４】図１４は、図２の生体胚子宮内移植具の先端部拡大図である。
【図１５】図１５は、本発明の生体胚子宮内移植固定器具に用いられる他の実施例の生体胚子宮内移植具の先端部の拡大部分縦断面図である。
【図１６】図１６は、本発明の生体胚子宮内移植固定器具に用いられる他の実施例の生体胚子宮内移植具の縦断面図である。
【図１７】図１７は、本発明の生体胚子宮内移植固定器具に用いられる他の実施例の生体胚子宮内移植具の縦断面図である。
【図１８】図１８は、本発明の生体胚子宮内移植固定器具に用いられる他の実施例の生体胚子宮内移植具の縦断面図である。
【図１９】図１９は、図１８に示した生体胚子宮内移植具の先端部の拡大図である。
【図２０】図２０は、本発明の生体胚子宮内移植固定器具に用いられる他の実施例の生体胚子宮内移植具の外観図である。
【図２１】図２１は、図２０の生体胚子宮内移植具に用いられる電磁石制御部のブロック図である。
【図２２】図２２は、図２０に示した生体胚子宮内移植具の先端部の部分断面拡大図である。
【図２３】図２３は、本発明の生体胚子宮内移植固定器具の作用を説明するための説明図である。
【図２４】図２４は、本発明の生体胚子宮内移植固定器具に用いられる胚収納容器回収具の縦断面図である。
【図２５】図２５は、本発明の生体胚子宮内移植固定器具に用いられる他の実施例の生体胚子宮内移植具の縦断面図である。
【図２６】図２６は、本発明の生体胚子宮内移植固定器具に用いられる他の実施例の生体胚子宮内移植具の縦断面図である。
【図２７】図２７は、本発明の生体胚子宮内移植固定器具に用いられる他の実施例の胚収納容器の拡大縦断面図である。
【図２８】図２８は、本発明の生体胚子宮内移植固定器具に用いられる他の実施例の胚収納容器の拡大正面図である。
【図２９】図２９は、図２８に示した胚収納容器の平面図である。
【図３０】図３０は、図２８に示した胚収納容器の縦断面図である。
【図３１】図３１は、本発明の生体胚子宮内移植固定器具に用いられる他の実施例の胚収納容器の拡大正面図である。
【図３２】図３２は、図３１に示した胚収納容器の縦断面図である。
【図３３】図３３は、本発明の生体胚子宮内移植固定器具に用いられる他の実施例の生体胚子宮内移植具の縦断面図である。
【図３４】図３４は、図３３の生体胚子宮内移植具の先端部拡大図である。
【発明を実施するための形態】
【００１０】
本発明の生体胚子宮内移植固定器具を図面に示した実施例を用いて説明する。
本発明の生体胚子宮内移植固定器具１０は、子宮内に挿入される生体胚子宮内移植具１と、生体に取り付けられる胚収納容器磁気的保持具（移植胚固定具）６とを備える。生体胚子宮内移植具１は、外部と連通する胚挿入部４４を有する胚収納部４２と、磁性体４３とを備える胚収納容器４と、胚収納容器４を先端部に離脱可能に保持するシャフト状の容器移送具５とを備える。容器磁気的保持具６は、生体表皮への装着部６３と、胚収納容器４の磁性体４３を吸引可能な磁石６２とを備える。
図１ないし図５および図１４に示す実施例の生体胚子宮内移植固定器具１０について説明する。
生体胚子宮内移植固定器具１０は、生体胚子宮内移植具１と胚収納容器磁気的保持具６とを備える。
生体胚子宮内移植具１は、胚収納容器４と、容器移送具５とを備える。
図示する実施例の胚収納容器４は、図３ないし図５に示すように、内部に胚収納空間４０を有する胚収納部４２と本体部４１とを備える。この実施例の胚収納容器４では、本体部４１の上面に胚収納部４２が固定されたものとなっている。
そして、胚収納部４２は、外部と胚収納空間４０を連通する胚挿入部（胚挿入口）４４を備えている。
【００１１】
さらに、この実施例の胚収納容器４では、胚収納部４の側面にも、収納空間４０と外部とを連通する開口４７が設けられている。開口４７は、液体（生体液）の流通を可能とする。開口４７は、胚収納部の側面に複数設けられている。この実施例の胚収納容器４では、開口４７は、胚収納部４２の軸方向に延びる細い窓部により構成されている。さらに、この胚収納容器４では、胚収納部４２の上面にも複数の開口４５が設けられている。上面に設けられた生体液流通用開口４５は、中央側から周縁側に向かって延びる窓部により形成されている。
【００１２】
この実施例の胚収納容器４では、上面に胚挿入部４４が設けられている。胚挿入部４４は、ほぼ円形のものとなっている。このため、胚を容易に挿入できる。胚挿入部４４の最大径（直径）は、上述した開口４５，４７の幅よりも大きいものとなっている。言い換えれば、開口４５，４７の幅は、胚挿入部４４より小さいものとなっている。これにより、胚収納部４２からの意図しない胚の流出を防止する。
そして、胚収納容器４は、磁性体４３を備えている。なお、胚収納容器４全体を磁性体にて形成してもよい。この実施例では、胚収納容器４は、合成樹脂により形成されており、その内部に磁性体４３が埋設された状態となっている。なお、磁性体４３は、胚収納容器４の表面に固定されたものであってもよい。
この実施例の胚収納容器４では、磁性体４３は、平板状、具体的には、円盤状のものが使用されている。また、胚収納部４２は円筒状のものとなっており、本体部４１は、円柱状のものとなっている。なお、胚収納部４２は、楕円筒状、角筒状であってもよく、本体部４１も、楕円柱状、角柱状のものであってもよい。
【００１３】
磁性体４３としては、鉄、磁性ステンレス、永久磁石等が使用される。磁性体４３としては、永久磁石が好ましい。永久磁石としては、十分な磁力を有するものが好適であり、ネオジウム磁石、プラチナ磁石、アルニコ磁石、サマリウムコバルト磁石などが好ましい。
そして、この実施例の胚収納容器４では、本体部４１が胚収納部４２より大きい外径を有するものとなっている。そして、磁性体４３が本体部４１に配置されているため、十分な大きさを有するものとなっている。なお、胚収納容器としては、胚収納部の下面もしくは上面に、磁性体が固定されたものであってもよい。
【００１４】
また、磁性体としては、上記の実施例のようにある程度の大きさを有するものに限定されるものではなく、多数の微少磁性体を用いてもよい。微少磁性体としては、磁性体粉、磁性体微粒子などが使用できる。図１０に示す実施例の胚収納容器４ｋでは、胚収納容器４ｋの形成材料、具体的には、本体部の形成材料に多数の微少磁性体４３ａが含有されている。胚収納容器の微少磁性体含有部における体積微少磁性体含有率は、０．１〜５体積％であることが好ましく、特に、０．５〜３体積％であることが好ましい。
【００１５】
また、胚収納容器は、図６ないし図８に示す実施例の胚収納容器４ａのように、子宮内膜への装着用脚部４８を有するものであってもよい。この実施例の胚収納容器４ａでは、本体部４１の先端より、突出する複数の脚部４８を備えている。そして、脚部４８の先端には、尖端部４９が設けられている。そして、脚部４８の尖端部は、胚収納部４２より先端側に位置するものとなっている。
特に、この実施例では、脚部４８は、胚収納部４２を取り囲むように複数、具体的には、４本設けられている。脚部４８の数としては、３〜１２程度が好適であり、特に、３〜６程度が好適である。尖端部４９は、尖った尖端を有している。
【００１６】
さらに、胚収納容器は、図９に示す実施例の胚収納容器４ｂのように、多数の気泡４６を含有するものであってもよい。気泡４６を含有することにより、超音波撮像による認識が容易となる。胚収納容器の気泡含有部における体積気泡含有率は、０．１〜５体積％であることが好ましく、特に、０．５〜３体積％であることが好ましい。また、気泡の断面積は、０．０００１〜１．０ｍｍ２であることが好ましく、特に、０．００１〜０．８ｍｍ２であることが好ましい。さらには、０．０１〜０．３ｍｍ２であることが好ましい。
【００１７】
さらに、胚収納容器は、図１１に示す実施例の胚収納容器４ｇのように、多数の気泡４６と多数の微少磁性体４３ａの両者を含有するものであってもよい。胚収納容器の微少磁性体含有部における体積微少磁性体含有率は、０．１〜５体積％であることが好ましく、特に、０．５〜３体積％であることが好ましい。胚収納容器の気泡含有部における体積気泡含有率は、０．１〜５体積％であることが好ましく、特に、０．５〜３体積％であることが好ましい。また、気泡の断面積は、０．０００１〜１．０ｍｍ２であることが好ましく、特に、０．００１〜０．８０ｍｍ２であることが好ましい。さらには、０．０１〜０．３ｍｍ２であることが好ましい。この実施例の胚収納容器４ｄでは、多数の気泡４６と多数の磁性体４３ａが、混在するように含有されている。このようなものに限定されるものではなく、気泡含有部位と磁性体含有部位が区分されたものであってもよい。
【００１８】
胚収納容器を合成樹脂にて形成する場合、胚収納容器を形成可能な樹脂であれば、どのようなものでもよい。例えば、シリコーンゴム、ウレタンゴム、ブタジエンゴムなどの合成ゴム、ラテックスゴムなどの天然ゴム、オレフィン系エラストマー（例えば、ポリエチレンエラストマー、ポリプロピレンエラストマー）、アミド系エラストマー（例えば、ポリアミドエラストマー）、スチレン系エラストマー（例えば、スチレン−ブタジエン−スチレンコポリマー、スチレン−イソプレン−スチレンコポリマー、スチレン−エチレンブチレン−スチレンコポリマー）、熱可塑性ポリウレタンなどの熱可塑性エラストマー、ポリオレフィン（例えば、ポリエチレン、ポリプロピレン、エチレン−プロピレンコポリマー）、ポリエステル（例えば、ポリエチレンテレフタレート、ポリブチレンテレフタレート）、ポリアミドなどの熱可塑性樹脂などが使用できる。
【００１９】
次に、胚収納容器４を子宮内に移送するための容器移送具５について説明する。
図１および図２に示す容器移送具５は、可撓性シース２と、可撓性シース内に摺動可能に挿入された可撓性シャフト３とを備えている。
そして、この実施例の容器移送具５では、可撓性シース２は、先端部に胚収納容器４を収納する容器収納部２５を備えている。また、可撓性外管２０と可撓性外管２０内に配置された可撓性内管２１とを備える。そして、可撓性内管２１は、その先端が、可撓性外管２０の先端より所定長基端側に位置している。さらに、可撓性外管２０の先端部内には、胚収納容器４の磁性体４３を吸引するための永久磁石２２が配置されている。この実施例の容器移送具５では、内管２１の先端面に当接するように、リング状の永久磁石２２が、外管２０の先端部内に挿入され、固定されている。そして、永久磁石２２の先端と外管２０の先端間に、容器収納部２５が形成されている。永久磁石としては、フェライト磁石、ネオジウム磁石、プラチナ磁石、アルニコ磁石、サマリウムコバルト磁石などが好ましい。
【００２０】
なお、永久磁石２２の位置保持のために、内管２１を設けることが有効である。しかし、内管２１は設けなくてもよい。外管２０の基端には、シースハブ２３が固定されている。シースハブ２３は、把持部２４を備えている。
可撓性シース２（外管２０、内管２１）の形成材料としては、可撓性とある程度の保形性を備えるものが好ましい。形成材料としては、ポリエステル、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）などが使用できる。
【００２１】
可撓性シャフト３は、シャフト本体３１と、その基端に設けられたシャフトハブ３２を有する。この実施例の可撓性シャフト３では、シャフトハブ３２は、先端方向に突出する筒状部３３を備えている。筒状部３３は、シャフト本体３１の基端に固定されている。このため、シャフト本体３１は、筒状部３３により、ハブ３２に固定されたものとなっている。シャフトハブ３２の筒状部３３は、シースハブ２３内を摺動可能なものとなっている。また、シャフトハブ３２の筒状部３３とシースハブ２３は、ある程度の摺動抵抗を有するものとなっており、両者の相対移動をさせない限り、その状態（例えば、図２に示す状態）を保持可能なものとなっている。また、容器移送具５は、図２に示す状態、具体的には、シース先端内に胚収納容器が収納され、シャフト３の先端部が、胚収納容器４に当接もしくは近接した状態を維持する位置保持機能を有するものであってもよい。この実施例のものでは、シースハブ２３内に進入したシャフトハブ３２（筒状部３３）の接触部の摺動抵抗により、位置保持機能が形成されている。
【００２２】
シャフト本体３１の形成材料としては、可撓性とある程度の保形性を備えるものが好ましい。形成材料としては、ポリエステル、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）などが使用できる。また、シャフト本体３１は、金属製（例えば、鉄、ステンレス鋼）、硬質樹脂製の芯材を備えるものであってもよい。
【００２３】
この実施例胚の容器移送具５では、図１４に示す様に、容器収納部２５に、胚収納容器４が、胚収納部４２が先端側となるように収納されている。このため、胚収納容器４の後端面（本体部４１の後端面）が、シャフト本体３１の先端方向を向くものとなっている。このようなタイプのものでは、胚収納容器４に設けられた磁性体４３は、胚収納容器４の基端部側に位置することが好ましい。このようにすることにより、胚収納容器４の磁性体４３とリング状の永久磁石２２との磁気的結合が良好なものとなる。
【００２４】
なお、胚収納容器４の容器収納部２５への収納形態は、上述のものに限定されるものではない。例えば、図１５に示す実施例の生体胚子宮内移植具１ａのように、容器移送具５の容器収納部２５に、胚収納容器４が胚収納部４２が基端側となるように収納されるものであってもよい。この実施例では、胚収納容器４の胚収納部４２の先端面が、シャフト本体３１の先端面を向くものとなっている。このようなタイプのものでは、胚収納容器４に設けられた磁性体４３は、胚収納容器４の本体部４１の先端側に位置することが好ましい。このようにすることにより、胚収納容器４の磁性体４３とリング状の永久磁石２２との磁気的結合が良好なものとなる。
【００２５】
胚収納容器磁気的保持具６は、生体に取り付けられるものである。図示する実施例の胚収納容器磁気的保持具６は、装着部６３を形成する下部シート６３、下部シート６３の上面に固定された磁石６２を被包するように下部シート６３の上面および磁石６２の上面に貼り付けられた上面部（上部シート）６１とを備える。
下部シート６３および上部シート６１としては、可撓性合成樹脂シート、合成繊維、天然繊維より作成された織布、不織布などの各種布帛が使用できる。なお、下部シート６３および上部シート６１は、通気性を有することが好ましい。通気性の付与は、下部シート６３および上部シート６１の形成材料として通気性を有するものを用いること、また、下部シート６３および上部シート６１に多数の細孔を設けることにより与えることができる。
【００２６】
下部シート６３および上部シート６１としては、例えば、紙、綿、大麻、黄麻等の靱皮繊維、マニラ麻等の葉脈繊維等のセルロース繊維、羊毛等の獣毛繊維や、絹繊維、羽毛繊維等のタンパク繊維等の天然繊維、レーヨン、キュプラ等の再生セルロース繊維や再生タンパク繊維等の再生繊維、酢酸セルロース繊維やプロミックス等の半合成繊維、ナイロンアラミド繊維、ポリエチレンテレフタレート繊維、ポリエステル繊維、アクリル繊維等、ポリエチレンやポリプロピレン等のポリオレフィン繊維、ポリビニルアルコール繊維、ポリ塩化ビニル繊維、ポリ塩化ビニリデン繊維、ポリ塩化ビニル系繊維、ポリウレタン繊維、ポリオキシメチレン繊維、ポリテトラフルオロエチレン繊維、ポリパラフェニレンベンズビスチアゾール（ＰＢＴ）繊維、ポリイミド繊維等が利用できる。
【００２７】
磁石６２としては、永久磁石が好ましい。永久磁石としては、十分な磁力を有するものが好適であり、ネオジウム磁石、プラチナ磁石、アルニコ磁石、サマリウムコバルト磁石などが好ましい。磁石６２としては、薄板状のものが好適である。また、磁石６２の形状は、矩形、楕円形、円形などが好ましい。特に、楕円形もしくは角部が面取りされた矩形が好ましい。また、磁石６２としては、バッテリーと電磁石からなるものであってもよい。電磁石としては、十分な磁気的吸引力を発生可能なものであればどのようなものであってもよい。特に、直流電磁石が好適である。また、電磁石およびバッテリーは、薄型のものが好適である。
【００２８】
そして、この実施例の胚収納容器磁気的保持具６では、下部シート６３の下面に皮膚への貼着のための粘着面６４が設けられている。これにより、皮膚の任意の部位に容易に貼着することができ、貼着状態を維持することができる。粘着面の形成材料としては、公知のものが使用でき、例えば、グァーガム、ローカストビーンガム、カラギーナン、アルギン酸、アルギン酸ナトリウム、寒天、アラビアガム、トラガカントガム、カラヤガム、ペクチン、澱粉等の植物系、ザンサンガム、アカシアガム等の微生物系、ゼラチン、コラーゲン等の動物系等の天然高分子、メチルセルロース、エチルセルロース、ヒドロキシエチルセルロース、カルボキシメチルセルロースナトリウム等のセルロース系、可溶性デンプン、カルボキシメチルデンプン、ジアルデヒドデンプン等のデンプン系等の半合成高分子、ポリビニルアルコール、ポリビニルピロリドン、ポリビニルメタクリレート等のビニル系、ポリアクリル酸、ポリアクリル酸ナトリウム等のアクリル系、その他ポリエチレンオキサイド、メチルビニルエーテル／無水マイレン酸共重合体等の合成高分子等の水溶性高分子等が挙げられる。
【００２９】
さらに、この実施例の胚収納容器磁気的保持具６では、粘着面６４の下面には、剥離シート６５が、貼着されている。剥離シート６５は、使用時に剥離される。
剥離シートとしては、公知のものが使用できる。剥離シートの具体例としては、無延伸または延伸ポリプロピレン、ポリエチレンテレフタレート、ポリエチレン、ポリ塩化ビニル、ポリエステル、ポリ塩化ビニリデン、ポリスチレンの合成樹脂のフィルム又はシート、若しくはシリコン加工紙などが挙げられる。
なお、胚収納容器磁気的保持具６としては、粘着面を持たず、ベルトなどの固定具により生体に取り付けられるものであってもよい。
【００３０】
本発明の生体胚子宮内移植固定器具１０の作用を図１、図２および図１４に示した実施例を用いて説明する。
体外受精等により得られ、所定期間発育させた胚（４分割胚、８分割胚、桑実胚、胚盤胞）を準備する。準備した胚を胚移送容器４の胚挿入部４４より胚収納部４２内に挿入し、胚が収納された胚移送容器４を所定の保持液（培養液）に浸漬する。
【００３１】
経腹もしくは経膣超音波検査などを用いて、目的とする子宮８の内部の胚移植固定部位の体表面位置を確認する。胚移植固定部位としては、図２３に示す子宮口８３より上部であり、卵管８２より下部であり、子宮中の上下方向中央部付近が好ましい。そして、図２３に示す様に、確認した子宮中央部に対応する生体９の体表面部位に、胚収納容器磁気的保持具６を固定（具体的には、貼着）する。
そして、容器移送具５の容器収納部２５内に胚を収納した胚収納容器４を収納する。収納された胚収納容器４は、その磁性体４３が容器移送具５の永久磁石２２に吸引され、容器収納部２５内に収納された状態を維持する。そして、このように準備した容器移送具５を経膣的に生体内に挿入し、容器移送具５の先端部（胚収納容器４）を子宮の適宜部位８１に配置する。必要により、超音波検査装置等を用いて、胚収納容器に位置を確認する。なお、容器移送具５の子宮内の適宜部位８１への到達は、容器移送具５の胚収納容器磁気的保持具６の永久磁石６２への吸引により確認してもよい。
【００３２】
そして、胚収納容器４が、子宮の適宜部位８１に到達した後、可撓性シャフト３を保持した状態にて、可撓性シース２を基端側に引くことにより、胚収納容器４がシャフト本体３１の先端に当接し、可撓性シースの永久磁石より離脱するとともに、シースから離脱する。そして、離脱した胚収納容器４は、体表面に固定（貼着）された胚収納容器磁気的保持具６の永久磁石６２により、磁気的に吸引され、子宮内の適宜部位に保持される。胚収納容器４が離脱した容器移送具５を生体より抜去することにより、生体胚子宮内移植固定操作が終了する。そして、胚収納容器４内にて、着床可能状態まで生育した胚は、自ら胚収納容器４より逸出（言い換えれば、離脱）し、子宮内膜に着床する。
【００３３】
そして、本発明の生体胚子宮内移植固定器具に用いられる生体胚子宮内移植具は、上述したものに限定されるものではない。
生体胚子宮内移植具は、図１６に示すような生体胚子宮内移植具１ｂであってもよい。この生体胚子宮内移植具１ｂの基本構成は、上述した生体胚子宮内移植具１と同じである。生体胚子宮内移植具１ｂは、胚収納容器４と、胚収納容器４を先端部に保持した容器移送具５ａとを備える。
生体胚子宮内移植具１ｂに用いられる胚収納容器４としては、上述したすべての実施例の胚収納容器を用いることができる。
容器移送具５ａは、可撓性シース２ａと、可撓性シース内に摺動可能に挿入された可撓性シャフト３ａとを備えている。
【００３４】
そして、この実施例の容器移送具５ａでは、可撓性シース２ａは、先端部に、胚収納容器４の後端部を収納する容器収納部２５ａを備えている。また、可撓性外管２０と可撓性外管２０内に配置された可撓性内管２１とを備える。そして、可撓性内管２１は、その先端が、可撓性外管２０の先端より所定長基端側に位置している。なお、容器収納部２５ａの形成のために、内管２１を設けることが有効である。しかし、内管２１は設けなくてもよい。外管２０の基端には、シースハブ２３が固定されている。シースハブ２３は、図２に示したものと同様に、把持部を備えるものであってもよい。可撓性シース２（外管２０、内管２１）の形成材料としては、上述したものが使用される。
【００３５】
可撓性シャフト３ａは、シャフト本体３１と、シャフト本体３１の先端に固定された永久磁石３４と、シャフト本体３１の基端に設けられたシャフトハブ３２を有する。シャフト本体３１の形成材料としては、上述したものは使用される。永久磁石３４は、胚収納容器４の磁性体４３を吸引するために設けられている。永久磁石としては、フェライト磁石、ネオジウム磁石、プラチナ磁石、アルニコ磁石、サマリウムコバルト磁石などが好ましい。
【００３６】
この実施例の可撓性シャフト３ａにおいても、シャフトハブ３２は、先端方向に突出する筒状部３３を備えている。筒状部３３は、シャフト本体３１の基端に固定されている。このため、シャフト本体３１は、筒状部３３により、ハブ３２に固定されたものとなっている。シャフトハブ３２の筒状部３３は、シースハブ２３内を摺動可能なものとなっている。また、シャフトハブ３２の筒状部３３とシースハブ２３は、ある程度の摺動抵抗を有するものとなっており、両者の相対移動をさせない限り、その状態（例えば、図１６に示す状態）を保持可能なものとなっている。また、容器移送具５ａは、図１６に示す状態、具体的には、シース先端内に胚収納容器の後端部が収納され、シャフト３ａの永久磁石３４に胚収納容器４が吸引保持された状態を維持する位置保持機能を有するものであってもよい。この実施例のものでは、シースハブ２３内に進入したシャフトハブ３２（筒状部３３）の接触部の摺動抵抗により、位置保持機能が形成されている。
【００３７】
この実施例胚の容器移送具５ａにおいては、図１６に示す様に、容器収納部２５ａに、胚収納容器４が胚収納部４２が先端側となるように収納されている。このため、胚収納容器４の後端面（本体部４１の後端面）が、シャフト本体３１の先端面を向くものとなっている。なお、胚収納容器４の容器収納部２５ａへの収納形態は、上述のものに限定されるものではない。例えば、容器移送具５ａの容器収納部２５ａに、胚収納容器４が胚収納部４２が基端側となるように収納されるものであってもよい。
【００３８】
また、生体胚子宮内移植具は、図１７に示すような生体胚子宮内移植具１ｃであってもよい。この生体胚子宮内移植具１ｃの基本構成は、上述した生体胚子宮内移植具１ｂと同じである。生体胚子宮内移植具１ｃは、胚収納容器４ｃと、胚収納容器４ｃを先端部に保持する容器移送具５ｂとを備える。
生体胚子宮内移植具１ｃに用いられる胚収納容器４ｃは、後端部に、シース先端部挿入部を備えている。この点を除き、胚収納容器４ｃは、上述した胚収納容器４と同じであり、また、上述したすべてのタイプの実施例の胚収納容器を用いることができる。
【００３９】
容器移送具５ｂは、可撓性シース２ｂと、可撓性シース２ｂ内に摺動可能に挿入された可撓性シャフト３ａとを備えている。
そして、この実施例の容器移送具５ｂでは、可撓性シース２ｂの先端部は、胚収納容器４ｃの後端部内に進入可能なものとなっている。可撓性シース２ｂは、可撓性外管２０ａを備える。外管２０ａの基端には、シースハブ２３が固定されている。可撓性シース２ｂ（外管２０ａ）の形成材料としては、上述したものが使用される。
【００４０】
可撓性シャフト３ａは、シャフト本体３１と、シャフト本体３１の先端に固定された永久磁石３４と、シャフト本体３１の基端に設けられたシャフトハブ３２を有する。シャフト本体３１の形成材料としては、上述したものは使用される。永久磁石３４は、胚収納容器４ｃの磁性体４３を吸引するために設けられている。永久磁石としては、フェライト磁石、ネオジウム磁石、プラチナ磁石、アルニコ磁石、サマリウムコバルト磁石などが好ましい。
【００４１】
この実施例の可撓性シャフト３ａにおいても、シャフトハブ３２は、先端方向に突出する筒状部３３を備えている。筒状部３３は、シャフト本体３１の基端に固定されている。このため、シャフト本体３１は、筒状部３３により、ハブ３２に固定されたものとなっている。シャフトハブ３２の筒状部３３は、シースハブ２３内を摺動可能なものとなっている。また、シャフトハブ３２の筒状部３３とシースハブ２３は、ある程度の摺動抵抗を有すものとなっており、両者の相対移動をさせない限り、その状態（例えば、図１７に示す状態）を保持可能なものとなっている。また、容器移送具５ｂは、図１７に示す状態、具体的には、シース先端内に胚収納容器の後端部が収納され、シャフト３ａの永久磁石３４に胚収納容器４ｃが吸引保持された状態を維持する位置保持機能を有するものであってもよい。この実施例のものでは、シースハブ２３内に進入したシャフトハブ３２（筒状部３３）の接触部の摺動抵抗により、位置保持機能が形成されている。
【００４２】
この実施例の容器移送具５ｂでは、図１７に示す様に、シース２ｂに、胚収納容器４ｃが胚収納部４２が先端側となるように装着されている。このため、胚収納容器４ｃの後端面（本体部４１の後端面）が、シャフト本体３１の先端面を向くものとなっている。なお、胚収納容器４ｃのシース２ｂへの装着形態は、上述のものに限定されるものではない。例えば、シース２ｂの先端部に、胚収納容器４ｃの胚収納部４２が基端側となるように装着されるものであってもよい。
【００４３】
また、生体胚子宮内移植具は、図１８および図１９に示すような生体胚子宮内移植具１ｄであってもよい。この生体胚子宮内移植具１ｄの基本構成は、上述した生体胚子宮内移植具１と同じである。生体胚子宮内移植具１ｄは、胚収納容器４ｄと、胚収納容器４ｄを先端部に保持する容器移送具５ｄとを備える。
【００４４】
生体胚子宮内移植具１ｄに用いられる胚収納容器４ｄは、後端部にシャフト先端部装着部５５を備えている。図１９に示す様に、胚収納容器４ｄの後端部に設けられたシャフト先端部装着部５５は、シャフトの先端部を収納する収納部と、収納部の開口部に設けられた小径部５６を備えている。この点を除き、胚収納容器４ｄは、上述した胚収納容器４と同じであり、また、上述したすべてのタイプの実施例の胚収納容器を用いることができる。
容器移送具５ｄは、可撓性シース２ｄと、可撓性シース２ｄ内に摺動可能に挿入された可撓性シャフト３ｄとを備えている。
【００４５】
可撓性シャフト３ｄは、シャフト本体３１ｄと、シャフト本体３１ｄの基端に設けられたシャフトハブ３２を有する。シャフト本体３１ｄの形成材料としては、上述したものが使用される。そして、この実施例の容器移送具５ｄでは、可撓性シャフト３ｄのシャフト本体３１ｄの先端には、膨出部３５が設けられている。膨出部３５は、シャフト３ｄが押し込まれることにより、胚収納容器４ｄの小径部５６を押し広げ、通過し、シャフト先端部装着部５５内に進入可能なものとなっている。また、進入した膨出部３５は、シャフト本体３１ｄの先端部からの胚収納容器４ｄの離脱を規制する。なお、この実施例のものでは、膨出部３５は、先端に向かって縮径するテーパー状先端部と、テーパー状先端部の基端に設けられた最大径部と、最大径部より、基端に向かって縮径する基端縮径部を備えている。最大径部の外径は、胚収納容器４ｄの小径部５６の開口部の内径より、若干大きいものとなっている。そして、膨出部３５のテーパー状先端部を胚収納容器４ｄの小径部５６に押し当てた後、シャフト３ｄを押し込むことにより、膨出部３５が、胚収納容器４ｄのシャフト先端部装着部５５内に進入する。
【００４６】
可撓性シース２ｄは、可撓性外管２０ｄを備える。外管２０ｄの基端には、シースハブ２３が固定されている。可撓性シース２ｄ（外管２０ｄ）の形成材料としては、上述したものが使用される。さらに、この実施例の容器移送具５ｄでは、可撓性シース２ｄの外管２０ｄの先端部は、肉厚部２６となっており、胚収納容器４ｄの基端面と当接し、当接により変形しないものとなっている。
【００４７】
この実施例の可撓性シャフト３ｄにおいても、シャフトハブ３２は、先端方向に突出する筒状部３３を備えている。筒状部３３は、シャフト本体３１ｄの基端に固定されている。このため、シャフト本体３１ｄは、筒状部３３により、ハブ３２に固定されたものとなっている。シャフトハブ３２の筒状部３３は、シースハブ２３内を摺動可能なものとなっている。また、シャフトハブ３２の筒状部３３とシースハブ２３は、ある程度の摺動抵抗を有すものとなっており、両者の相対移動をさせない限り、例えば、図１９に示すように、胚収納容器４ｄがシャフト本体３１ｄの先端部に装着され、かつ、胚収納容器４ｄの基端面が、シース２ｄの先端面に当接した状態を保持可能なものとなっている。言い換えれば、容器移送具５ｄは、図１９に示す状態を保持する胚収納容器の位置保持機能を有している。特に、この実施例のものでは、シースハブ２３内に進入したシャフトハブ３２（筒状部３３）の接触部の摺動抵抗により、位置保持機能が形成されている。
【００４８】
この実施例の容器移送具５ｄでは、図１９に示す様に、シャフト３ｄに、胚収納容器４ｄが胚収納部４２が先端側となるように装着されている。このため、胚収納容器４ｄの後端面（本体部４１の後端面）が、シャフト本体３１ｄの先端方向を向くものとなっている。
そして、この実施例の容器移送具５ｄでは、図１９に示す状態において、シースハブ２３内を保持した状態にて、シャフト３ｄを基端側に引くことにより、シャフト本体３１ｄの膨出部３５は、胚収納容器４ｄのシャフト先端部装着部５５より、離脱する。これにより、胚収納容器４ｄは、容器移送具５ｄより離脱する。
【００４９】
次に、図２０ないし図２２に示す本発明の生体胚子宮内移植固定器具に用いられる生体胚子宮内移植具１ｅについて説明する。
図２０は、本発明の生体胚子宮内移植固定器具に用いられる他の実施例の生体胚子宮内移植具の外観図である。図２１は、図２０の生体胚子宮内移植具に用いられる電磁石制御部のブロック図である。図２２は、図２０に示した生体胚子宮内移植具の先端部の拡大図である。
【００５０】
この実施例の生体胚子宮内移植具１ｅは、胚収納容器４とそれを先端部に保持し移送する容器移送具５ｅと、移送具５ｅの電磁石に電力を供給する電力供給部（コントローラ）５０を備える。胚収納容器４は、上述した胚収納容器４と同じであり、また、磁性体を備える上述したすべてのタイプの実施例の胚収納容器を用いることができる。
【００５１】
図２０および図２２に示す容器移送具５ｅは、可撓性シャフト３０ｅと、可撓性シャフト３０ｅの先端部に配置された電磁石３６を備える。特に、この実施例の容器移送具５ｅでは、可撓性シャフト３０ｅは、図２２に示す様に、先端部に胚収納容器４の後端部を収納する容器収納部５８を備えている。そして、可撓性シャフト３０ｅの先端部内、具体的には、先端より若干基端側となる位置に配置された電磁石３６を備える。電磁石３６は、容器収納部５８の底面部を形成もしくは底面部付近に位置している。電磁石３６は、通電により、胚収納容器４の磁性体４３を磁気的に吸引し、これにより、胚収納容器４を容器移送具５ｅの先端部に保持する。電磁石３６には、通電線３７ａ、３７ｂが接続されている。
電磁石としては、小型であり、かつ十分な磁気的吸引力を発生可能なものであればどのようなものであってもよい。特に、直流電磁石が好適である。
【００５２】
可撓性シャフト３０ｅは、中実のシャフトとなっている。なお、可撓性シャフト３０ｅは、中空シャフトであってもよい。可撓性シャフト３０ｅの形成材料としては、可撓性とある程度の保形性を備えるものが好ましい。形成材料としては、ポリエステル、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）などが使用できる。また、可撓性シャフト３０ｅは、金属製（例えば、鉄、ステンレス鋼）、硬質樹脂製の芯材を備えるものであってもよい。
【００５３】
可撓性シャフト３０ｅの後端には、シャフトハブ３８が設けられている。シャフトハブ３８には、ケーブル３８ａが設けられており、ケーブル３８ａの端部には、コネクタ３９が設けられている。通電線３７ａ、３７ｂは、シャフト３０ｅを貫通し、シャフトハブ、ケーブル、コネクタを通り、後端に設けられた端子３９ａまで延びている。
【００５４】
電力供給部であるコントローラ５０は、容器移送具５ｅの電磁石３６に磁気発生のための電力を供給するためのものである。この実施例のコントローラ５０は、図２１に示す様な構成を備えている。具体的には、コントローラ５０は、容器移送具５ｅの端子３９を受け入れ、かつ、コネクタ３８を装着可能なコネクタ装着部を備えている。そそして、コネクタ装着部に装着された容器移送具５ｅの端子３９より、容器移送具５ｅの電磁石に電力を供給するための電力供給回路を備えている。
【００５５】
この実施例では、電力供給回路は、図２１に示す様に、電源部１１、電源スイッチ１２、電磁力調整部１４を備えている。電源部１１としては、直流電源が好ましく、特に、定電圧直流電源が好ましい。電磁力調整部１４は、例えば、供給電力量、具体的には、供給電流量を手動的に調整する可変抵抗器が用いられる。また、この実施例のコントローラ５０では、電流検出部１５を備えており、検出された電流値を用いて、電磁力調整部１４を自動的に調整するものであってもよい。さらに、この実施例のコントローラ５０では、極性変換スイッチ１３を備えている。この極性変換スイッチ１３は、直流電源のプラスマイナスを変換するためのものである。電磁石の残留磁気による胚収納容器４の容器移送具５ｅへの吸引が懸念される場合にあっては、電源スイッチを切る前に、この極性変換スイッチ１３を切り替えることにより、電磁石に反発磁性が発生するため、胚収納容器４を確実に、容器移送具５ｅより離脱させることができる。
【００５６】
次に、本発明の生体胚子宮内移植固定器具に用いられる胚収納容器回収具について説明する。
図２４は、本発明の生体胚子宮内移植固定器具に用いられる胚収納容器回収具の一例の縦断面図である。
この実施例の胚収納容器回収具７は、可撓性シャフト７１と、シャフト７１の先端に固定された永久磁石７４と、シャフト７１の基端に設けられたシャフトハブ７２を有する。シャフトハブ７２は、筒状のシャフト基端部補強部７３を備えている。シャフト７１の形成材料としては、可撓性とある程度の保形性を備えるものが好ましい。形成材料としては、ポリエステル、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）などが使用できる。また、可撓性シャフト７１は、金属製（例えば、鉄、ステンレス鋼）、硬質樹脂製の芯材を備えるものであってもよい。
【００５７】
永久磁石３４は、胚収納容器４の磁性体４３を吸引するために設けられている。永久磁石としては、フェライト磁石、ネオジウム磁石、プラチナ磁石、アルニコ磁石、サマリウムコバルト磁石などが好ましい。
この実施例の胚収納容器回収具７は、実質的に、上述した生体胚子宮内移植具１ｂの可撓性シャフト３ａと同じである。胚収納容器回収具７としては、上述した容器移送具における磁石２２を備える可撓性シース２、上述した先端に磁石を有する可撓性シャフト３ａ、上述した電磁石を有する容器移送具５ｅおよびコントローラ５０を用いてもよい。
【００５８】
また、上述したすべての実施例の生体胚子宮内移植固定器具において、図２５もしくは図２６に示す実施例の生体胚子宮内移植固定器具１ｆ，１ｇのように、一端が胚収納容器に固定され、他端がシャフト状の容器移送具の後端方向に延びる回収用線状部材５７を備えるものであってもよい。
図２５および図２６に示す実施例の生体胚子宮内移植固定器具１ｆ，１ｇでは、一端が胚収納容器に固定され、他端がシャフト状の容器移送具の後端方向に延びる回収用線状部材５７を備え、線状部材５７の他端部は、線状部材挿通部５９の基端部より、生体胚子宮内移植固定器具の外部に延出している。
【００５９】
また、この実施例の生体胚子宮内移植固定器具１ｆに用いられる胚収納容器としては、図２７に示すような胚収納容器４ｅが用いられる。胚収納容器４ｅは、一端が胚収納容器に固定された回収用線状部材５７を備えている。胚移植容器としては、上述したすべてのタイプの胚移植容器を使用することができる。この実施例の胚収納容器４ｅでは、回収用線状部材５７の一端が、胚収納容器４ｅの本体部４１の下面に固定されている。上述したすべての実施例および後述するすべての実施例の胚収納容器は、一端が胚収納容器に固定された上記の回収用線状部材５７を備えるものであってもよい。
【００６０】
回収用線状部材５７としては、所定長を有し、胚収納容器４ｅを目的生体部位（具体的には、子宮内）に配置後、生体より容器移送具を抜去した状態にて、他端部が、生体より延出するものであることが好ましい。回収用線状部材５７としては、ある程度の引っ張り強度を備えかつ柔軟なものが好適である。回収用線状部材５７としては、糸、金属細線それらの撚り線などが使用できる。糸としては、合成繊維もしくは天然繊維の糸さらにはそれらの混合繊維さらにはそれらの撚糸を用いることができる。合成繊維としては、有機合成繊維（例えば、ポリエステル、ポリアミド、ポリオレフィン、炭素繊維）さらには、無機合成繊維（例えば、ガラス繊維、セラミック繊維）などどのようなものであってもよい。また、金属細線としては、どのようなものでもよく、例えば、ステンレス鋼細線、超弾性金属細線、アモルファス金属細線さらにはそれらの撚線が使用できる。前方牽引用線材および後方牽引用線材の長さとしては、１０〜８０ｍｍ程度であることが好ましい。また、線材の線径としては、５０〜１０００μｍ程度が好ましい。
【００６１】
また、図２５に示す実施例の生体胚子宮内移植固定器具１ｆの基本構成は、上述した生体胚子宮内移植固定器具１と同じであり、相違点は、この生体胚子宮内移植固定器具１ｆが、上述した回収用線状部材５７と、回収用線状部材５７を挿通させるための線状部材挿通部５９を備える点である。
【００６２】
この実施例の生体胚子宮内移植固定器具１ｆは、胚収納容器を子宮内に移送するための容器移送具５ｃを備えている。容器移送具５ｃは、可撓性シース２と、可撓性シース内に摺動可能に挿入された可撓性シャフト３ｃを備える。可撓性シース２としては、上述したものと同じである。可撓性シャフト３ｃは、中空シャフト本体３１ａと、その基端に設けられた中空シャフトハブ３２ａを有する。可能性シャフト３ｃは、先端から基端まで貫通した線状部材挿通部５９を備えている。線状部材挿通部５９は、中空シャフト本体３１ａの中空部と中空シャフトハブ３２ａの中空部が連続することにより形成されている。
【００６３】
そして、この回収用線状部材５７は、この線状部材挿通部５９を貫通し、基端部が、容器移送具５ｃ、具体的には、可撓性シャフト３ｃの後端より、外部に延出している。胚収納容器４ｅを目的生体部位（具体的には、子宮内）に配置後、生体より容器移送具を抜去した状態にて、回収用線状部材５７の他端部が、生体より延出するものとなっている。このため、胚の胚収納容器４ｅからの離脱後（胚の子宮への着床後）、この回収用線状部材５７を牽引することにより、胚収納容器４ｅを生体より回収することができる。
【００６４】
そして、この実施例の可撓性シャフト３ｃにおいても、シャフトハブ３２ａは、先端方向に突出する筒状部３３ａを備えている。筒状部３３ａは、シャフト本体３１ａの基端に固定されている。このため、シャフト本体３１ａは、筒状部３３ａにより、ハブ３２ａに固定されたものとなっている。シャフトハブ３２ａの筒状部３３ａは、シースハブ２３内を摺動可能なものとなっている。また、シャフトハブ３２ａの筒状部３３ａとシースハブ２３は、ある程度の摺動抵抗を有するものとなっており、両者の相対移動をさせない限り、その状態（例えば、図２５に示す状態）を保持可能なものとなっている。
【００６５】
また、図２６に示す実施例の生体胚子宮内移植固定器具１ｇの基本構成は、上述した生体胚子宮内移植固定器具１ｄと同じであり、相違点は、この生体胚子宮内移植固定器具１ｇが、上述した回収用線状部材５７と、回収用線状部材５７を挿通させるための溝部３３ｄを備える点である。
【００６６】
この実施例の生体胚子宮内移植具１ｇは、回収用線状部材５７の一端が固定された胚収納容器４ｆと、胚収納容器４ｆを先端部に保持する容器移送具５ｇとを備える。胚収納容器４ｆは、回収用線状部材５７を除き、その他の構成は、上述した胚収納容器４ｄと同じである。容器移送具５ｇは、可撓性シース２ｄと、可撓性シース２ｄ内に摺動可能に挿入された可撓性シャフト３ｇとを備えている。可撓性シャフト３ｇは、シャフト本体３１ｄと、シャフト本体３１ｄの基端に設けられたシャフトハブ３２ｇを有する。容器移送具５ｇは、線状部材挿通部を備えている。線状部材挿通部は、可撓性シース２ｄの内面と可撓性シャフト３ｇ間に形成された空隙と、シースハブ２３の内腔と、シャフトハブ３２ｇの溝部３３ｄにより構成されている。回収用線状部材５７は、可撓性シース２ｄの内面と可撓性シャフト３ｇ間の空隙、シースハブ２３の内腔およびシャフトハブ３２ｇの溝部３３ｄを貫通し、その基端部が、容器移送具５ｇの後端部より、外部に延出している。
【００６７】
この実施例の生体胚子宮内移植固定器具１ｇにおいても、胚収納容器４ｆを目的生体部位（具体的には、子宮内）に配置後、生体より容器移送具を抜去した状態にて、回収用線状部材５７の他端部が、生体より延出するものとなっている。このため、胚の胚収納容器４ｆからの離脱後（胚の子宮への着床後）、この回収用線状部材５７を牽引することにより、胚収納容器を生体より回収することができる。
【００６８】
上述した実施例の生体胚子宮内移植固定器具１ｆ，１ｇでは、回収用線状部材５７の他端部が、容器移送具の後端部より、外部に延出するものとなっている。このようなものであれば、回収用線状部材５７の存在の確認が容易であり、好ましい。しかし、回収用線状部材５７の他端部は、容器移送具内に収納されており、生体より容器移送具を抜去した時に、露出するものであってもよい。
【００６９】
本発明の生体胚子宮内移植固定器具に用いられる胚収納容器としては、図２８ないし図３０に示す胚収納容器４ｈを用いることができる。この実施例の胚収納容器４ｈの基本構成は、上述した胚収納容器４と同じである。
この胚収納容器４ｈは、図２８ないし図３０に示すように、子宮内膜への複数の装着用脚部９１を有している。この実施例の胚収納容器４ｈでは、本体部４１は、筒状部９３を備えている。さらに、筒状部９３の先端より、突出する複数の脚部９１を備えている。各脚部９１は、ほぼ円柱状に形成されており、脚部９１の外側側部は、筒状部９３の外側面より外方に突出しており、脚部９１の内側側部は、筒状部９３の内側面より内側に突出している。脚部９１の数としては、３〜８が好適である。
【００７０】
また、本体部４１の内底面には、上方に向かって突出する胚保持用爪部９２を複数備えている。そして、胚保持用爪部９２は、先端部が、内側に曲がっており、複数の爪部９２により、その内側に胚収納部４２が形成されている。このため、この実施例の胚収納容器４ｈでは、胚収納部４２は、筒状部９３内に位置しており、露出しないものとなっている。胚保持用爪部９２の数としては、３〜８が好適である。また、この胚収納容器４ｈは、図３０に示すように、筒状部９３に設けられた少なくとも２つの流通路（連通路）９４を備えている。このため、胚収納部４２に収納された胚への培養液の流通を良好なものとしている。
この胚収納容器４ｈは、上述した胚収納容器４と同様に、磁性体４３を備えている。胚収納容器４ｈは、合成樹脂により形成されており、その内部に磁性体４３が埋設された状態となっている。なお、磁性体４３は、胚収納容器４ｈの下面に固定されたものであってもよい。磁性体４３としては、上述したものが好適に使用できる。
【００７１】
また、本発明の生体胚子宮内移植固定器具に用いられる胚収納容器としては、図３１および図３２に示す胚収納容器４ｉを用いることができる。この実施例の胚収納容器４ｉの基本構成は、上述した胚収納容器４ｈと同じである。
この胚収納容器４ｉは、図３１および図３２に示すように、子宮内膜への複数の装着用脚部９１を有している。この実施例の胚収納容器４ｉにおいても、本体部４１は、筒状部９３を備えている、そして、筒状部９３の先端より、突出する複数の脚部９１を備えている。各脚部９１は、ほぼ円柱状に形成されており、脚部９１の外側側部は、筒状部９３の外側面より外方に突出しており、脚部９１の内側側部は、筒状部９３の内側面より内側に突出している。脚部９１の数としては、３〜８が好適である。
【００７２】
また、本体部４１の内部には、吸水部９５が設けられている。そして、吸水部９５の上面には、平板部９６が設けられている。平板部９６としては、弾性体であることが好ましく、また、透水性を有することが好ましい。平板部９６としては、弾性膜材、通水孔を有する平板部材が好適である。吸水部９５としては、吸水性材料を充填することにより形成できる。なお、吸水性材料は、通水性包材により被包することが好ましい。また、吸水性材料としては、公知のものが使用できる。吸水性材料としては、（メタ）アクリル酸系、ポリビニルアルコール系、（メタ）アクリルアミド系、ポリアルキレンオキサイド系、ポリアルキレンイミン系、デンプン系、セルロース系よりなる群から選ばれた少なくとも１種の水膨潤性高分子化合物が好適に使用できる。また、吸水性材料としては、アクリレート系のデンプングラフト化物、部分的にけん化したポリビニルアルコール、ポリアクリル酸塩、アクリル酸−ビニルアルコール重合体、ポリエチレンオキサイド、セルロース系重合体、架橋型Ｎ−ビニルカルボン酸アミド樹脂、ポリエチレンオキシド系重合体、アルファー化デンプン、デンプン・アクリル酸ナトリウムグラフト共重合体、イソブチレン−無水マレイン酸共重合体、変性アクリル系架橋重合体よりなる群から選ばれた少なくとも１種の水膨潤性高分子化合物も好適に使用できる。
【００７３】
そして、平板部９６の上面には、上方に向かって突出する胚保持用爪部９２を複数備えている。そして、胚保持用爪部９２は、先端部９２ａが内側に曲がっており、複数の爪部９２により、その内側に胚収納部４２が形成されている。このため、この実施例の胚収納容器４ｉでは、胚収納部４２は筒状部９３内に位置しており、露出しないものとなっている。胚保持用爪部９２の数としては、３〜８が好適である。また、この胚収納容器４ｉは、図３２に示すように、筒状部９３（具体的には、円筒部９３の下部）に設けられた少なくとも２つの流通路９４を備えている。このため、吸水部９５への培養液の流通を良好なものとしている。平板部９６としては、通水性を有する膜状体が好適に使用される。なお、この実施例の胚収納容器４ｉにおいても、上述した胚収納容器４ｈと同様に、筒状部９３に、胚収納部４２と連通する流通路（連通路）９４を設けてもよい。連通路は、少なく設けることが好ましい。
【００７４】
この胚収納容器４ｉは、上述した胚収納容器４と同様に、磁性体４３を備えている。胚収納容器４ｉは、合成樹脂により形成されており、その内部に磁性体４３が埋設された状態となっている。なお、磁性体４３は、胚収納容器４ｉの下面に固定されたものであってもよい。磁性体４３としては、上述したものが好適に使用できる。
【００７５】
そして、上述した胚収納容器４ｈ，４ｉを使用した生体胚子宮内移植具としては、図３３に示すような生体胚子宮内移植具１ｈが好適である。この生体胚子宮内移植具１ｈの基本構成は、上述した生体胚子宮内移植具１と同じである。生体胚子宮内移植具１ｈは、胚収納容器４ｈと、胚収納容器４ｈを先端部に保持した容器移送具５ｈとを備える。生体胚子宮内移植具１ｈに用いられる胚収納容器としては、上述した胚収納容器４ｈ，４ｉが好適である。
【００７６】
そして、この実施例の容器移送具５ｈでは、可撓性シース２ｈは、先端部に、胚収納容器４ｈ，４ｉの本体部４１を収納する容器収納部を備えている。また、可撓性シース２ｈは、可撓性外管２０を備える。外管２０の基端には、シースハブ２３が固定されている。シースハブ２３は、把持部を備えている。可撓性シース２ｈ（外管２０）の形成材料としては、上述したものが使用される。
可撓性シャフト３ｈは、シャフト本体３１と、シャフト本体３１の先端に固定された永久磁石３４と、シャフト本体３１の基端に設けられたシャフトハブ３２を有する。シャフト本体３１の形成材料としては、上述したものは使用される。永久磁石３４は、胚収納容器４の磁性体４３を吸引するために設けられている。永久磁石としては、フェライト磁石、ネオジウム磁石、プラチナ磁石、アルニコ磁石、サマリウムコバルト磁石などが好ましい。
【００７７】
この実施例の可撓性シャフト３ｈにおいても、シャフトハブ３２は、先端方向に突出する筒状部３３を備えている。筒状部３３は、シャフト本体３１の基端に固定されている。このため、シャフト本体３１は、筒状部３３により、ハブ３２に固定されたものとなっている。シャフトハブ３２の筒状部３３は、シースハブ２３内を摺動可能なものとなっている。また、シャフトハブ３２の筒状部３３とシースハブ２３は、ある程度の摺動抵抗を有するものとなっており、両者の相対移動をさせない限り、その状態（例えば、図３３、図３４に示す状態）を保持可能なものとなっている。
【００７８】
また、容器移送具５ｈは、図３４に示す状態、具体的には、シース先端内（容器収納部）に胚収納容器４ｈの本体部４１が収納され、シャフト３ｈの永久磁石３４に胚収納容器４ｈが吸引保持された状態となっている。そして、図３４に示すように、胚収納容器４ｈの本体部４１の筒状部４３の先端面に設けられた装着用脚部９１は、可撓性シース２ｈの外管２０内、言い換えれば、容器収納部には、進入できない。胚収納容器４ｈの装着用脚部９１は、後端面の一部が、可撓性シース２ｈの外管２０の先端面２０ｃに当接可能である。また、胚収納容器４ｈの装着用脚部９１は、可撓性シース２ｈの先端より、露出している。
【００７９】
この実施例の容器移送具５ｈにおいても、図３４に示すように、胚収納容器４ｈは、胚収納部４２が先端側となるように収納されている。このため、胚収納容器４ｈの後端面（本体部４１の後端面）が、シャフト本体３１の先端面を向くものとなっている。
そして、この実施例の生体胚子宮内移植具１ｈ（容器移送具５ｈ）では、胚収納容器４ｈの装着用脚部９１の後端面の一部が、可撓性シース２ｈの外管２０の先端面２０ｃに当接しているもしくは当接可能である。このため、可撓性シャフト３ｈを基端側に引くことにより、胚収納容器４ｈの装着用脚部９１が、シャフト本体３１の先端に当接し、移動が規制され、可撓性シャフト３ｈより、胚収納容器４ｈが離脱する。そして、胚収納容器４ｈは、可撓性シース２ｈには、保持されていないため、可撓性シース２ｈから離脱する。
【産業上の利用可能性】
【００８０】
本発明の生体胚子宮内移植固定器具は、以下のものである。
（１）  生体胚を子宮内に移植するための生体胚子宮内移植固定器具であって、
前記生体胚子宮内移植固定器具は、
胚収納容器を備え、子宮内に挿入される生体胚子宮内移植具と、
生体に取り付けられ、前記胚収納容器を磁気的に吸引する胚収納容器磁気的保持具とを備え、
前記胚収納容器は、外部と連通する胚挿入部を有する胚収納部と、磁性体とを備え、
前記生体胚子宮内移植具は、前記胚収納容器を先端部に離脱可能に保持するシャフト状の容器移送具とを備え、
前記容器磁気的保持具は、生体表皮への装着部と、前記胚収納容器の前記磁性体を吸引可能な磁石とを備える生体胚子宮内移植固定器具。【００８１】
本発明の生体胚子宮内移植固定器具では、生体胚子宮内移植具により、胚を収納した胚収納容器を子宮内の適宜部位に配置することができ、生体胚子宮内移植具より離脱した胚収納容器は、磁気により、生体表面に配置された胚収納容器磁気的保持具により、子宮内適宜部位に保持される。そして、胚収納容器内にて、胚盤胞以上に成長した胚は、自ら胚収納容器より、?出（言い換えれば、離脱）し、子宮内膜に付着し着床する。【００８２】
また、本発明の生体胚子宮内移植固定器具は、以下のものであってもよい。
（２）  前記容器移送具は、可撓性シースと、前記可撓性シース内に摺動可能に挿入された可撓性シャフトを備える上記（１）に記載の生体胚子宮内移植固定器具。
（３）  前記可撓性シースは、先端部に前記胚収納容器を収納する容器収納部を備える上記（２）に記載の生体胚子宮内移植固定器具。
（４）  前記容器移送具は、可撓性シースと、前記可撓性シース内に摺動可能に挿入された可撓性シャフトと、前記可撓性シースの先端部内部もしくは前記可撓性シャフトの先端部に設けられ、前記胚収納容器の前記磁性体を吸引するための永久磁石を備える上記（１）ないし（３）のいずれかに記載の生体胚子宮内移植固定器具。
（５）  前記胚収納容器の前記磁性体は、永久磁石である上記（１）ないし（４）のいずれかに記載の生体胚子宮内移植固定器具。
（６）  前記胚収納容器は、前記胚挿入部を有するとともに、容器内部と外部とを連通する開口を備え、かつ前記開口の幅は、前記胚挿入部の最大径より小さいものとなっている上記（１）ないし（５）のいずれかに記載の生体胚子宮内移植固定器具。
（７）  前記胚収納容器の前記磁性体は、収納容器形成材料に含有された多数の微少磁性体である上記（１）ないし（６）のいずれかに記載の生体胚子宮内移植固定器具。
（８）  前記胚収納容器は、多数の気泡を含有している上記（１）ないし（７）のいずれかに記載の生体胚子宮内移植固定器具。
（９）  前記容器移送具は、シャフトと、前記シャフトの先端部に設けられ、前記胚収納容器の前記磁性体を吸引可能な電磁石と、前記電磁石に電力を供給する電力供給部を備える上記（１）に記載の生体胚子宮内移植固定器具。
（１０）  前記胚収納容器磁気的保持具は、下部シートと、前記下部シートの下面に固定された前記磁石と、前記下部シートの下面に設けられた粘着面を備える上記（１）ないし（９）のいずれかに記載の生体胚子宮内移植固定器具。
（１１）  前記生体胚子宮内移植固定器具は、一端が前記胚収納容器に固定され、他端が前記容器移送具の後端方向に延びる回収用線状部材を備えている上記（１）ないし（９）のいずれかに記載の生体胚子宮内移植固定器具。
（１２）  前記生体胚子宮内移植固定器具は、線状部材挿通部を備え、前記線状部材の他端部は、前記線状部材挿通部の基端部より、前記容器移送具の外部に延出している上記（１１）に記載の生体胚子宮内移植固定器具。
（１３）  前記胚収納容器は、前記胚収納部に培養液を流通させるための流通路を備えている上記（１）ないし（１２）のいずれかに記載の生体胚子宮内移植固定器具。
【図１】
2018135496.tif 000003
【図２】
2018135496.tif 000004
【図３】
2018135496.tif 000005
【図４】
2018135496.tif 000006
【図５】
2018135496.tif 000007
【図６】
2018135496.tif 000008
【図７】
2018135496.tif 000009
【図８】
2018135496.tif 000010
【図９】
2018135496.tif 000011
【図１０】
2018135496.tif 000012
【図１１】
2018135496.tif 000013
【図１２】
2018135496.tif 000014
【図１３】
2018135496.tif 000015
【図１４】
2018135496.tif 000016
【図１５】
2018135496.tif 000017
【図１６】
2018135496.tif 000018
【図１７】
2018135496.tif 000019
【図１８】
2018135496.tif 000020
【図１９】
2018135496.tif 000021
【図２０】
2018135496.tif 000022
【図２１】
2018135496.tif 000023
【図２２】
2018135496.tif 000024
【図２３】
2018135496.tif 000025
【図２４】
2018135496.tif 000026
【図２５】
2018135496.tif 000027
【図２６】
2018135496.tif 000028
【図２７】
2018135496.tif 000029
【図２８】
2018135496.tif 000030
【図２９】
2018135496.tif 000031
【図３０】
2018135496.tif 000032
【図３１】
2018135496.tif 000033
【図３２】
2018135496.tif 000034
【図３３】
2018135496.tif 000035
【図３４】
2018135496.tif 000036
【手続補正書】
【提出日】令和1年7月12日(2019.7.12)
【手続補正１】
【補正対象書類名】明細書
【補正対象項目名】００１１
【補正方法】変更
【補正の内容】
【００１１】
さらに、この実施例の胚収納容器４では、胚収納部４２の側面にも、収納空間４０と外部とを連通する開口４７が設けられている。開口４７は、液体（生体液）の流通を可能とする。開口４７は、胚収納部の側面に複数設けられている。この実施例の胚収納容器４では、開口４７は、胚収納部４２の軸方向に延びる細い窓部により構成されている。さらに、この胚収納容器４では、胚収納部４２の上面にも複数の開口４５が設けられている。上面に設けられた生体液流通用開口４５は、中央側から周縁側に向かって延びる窓部により形成されている。
【手続補正２】
【補正対象書類名】明細書
【補正対象項目名】００１７
【補正方法】変更
【補正の内容】
【００１７】
さらに、胚収納容器は、図１１に示す実施例の胚収納容器４ｇのように、多数の気泡４６と多数の微少磁性体４３ａの両者を含有するものであってもよい。胚収納容器の微少磁性体含有部における体積微少磁性体含有率は、０．１〜５体積％であることが好ましく、特に、０．５〜３体積％であることが好ましい。胚収納容器の気泡含有部における体積気泡含有率は、０．１〜５体積％であることが好ましく、特に、０．５〜３体積％であることが好ましい。また、気泡の断面積は、０．０００１〜１．０ｍｍ２であることが好ましく、特に、０．００１〜０．８０ｍｍ２であることが好ましい。さらには、０．０１〜０．３ｍｍ２であることが好ましい。この実施例の胚収納容器４ｇでは、多数の気泡４６と多数の磁性体４３ａが、混在するように含有されている。このようなものに限定されるものではなく、気泡含有部位と磁性体含有部位が区分されたものであってもよい。
【手続補正３】
【補正対象書類名】明細書
【補正対象項目名】００２３
【補正方法】変更
【補正の内容】
【００２３】
この実施例の容器移送具５では、図１４に示す様に、容器収納部２５に、胚収納容器４が、胚収納部４２が先端側となるように収納されている。このため、胚収納容器４の後端面（本体部４１の後端面）が、シャフト本体３１の先端方向を向くものとなっている。このようなタイプのものでは、胚収納容器４に設けられた磁性体４３は、胚収納容器４の基端部側に位置することが好ましい。このようにすることにより、胚収納容器４の磁性体４３とリング状の永久磁石２２との磁気的結合が良好なものとなる。
【手続補正４】
【補正対象書類名】明細書
【補正対象項目名】００５４
【補正方法】変更
【補正の内容】
【００５４】
電力供給部であるコントローラ５０は、容器移送具５ｅの電磁石３６に磁気発生のための電力を供給するためのものである。この実施例のコントローラ５０は、図２１に示す様な構成を備えている。具体的には、コントローラ５０は、容器移送具５ｅの端子３９ａを受け入れ、かつ、コネクタ３９を装着可能なコネクタ装着部を備えている。そして、コネクタ装着部に装着された容器移送具５ｅの端子３９ａより、容器移送具５ｅの電磁石に電力を供給するための電力供給回路を備えている。
【手続補正５】
【補正対象書類名】明細書
【補正対象項目名】００５７
【補正方法】変更
【補正の内容】
【００５７】
永久磁石７４は、胚収納容器４の磁性体４３を吸引するために設けられている。永久磁石としては、フェライト磁石、ネオジウム磁石、プラチナ磁石、アルニコ磁石、サマリウムコバルト磁石などが好ましい。
この実施例の胚収納容器回収具７は、実質的に、上述した生体胚子宮内移植具１ｂの可撓性シャフト３ａと同じである。胚収納容器回収具７としては、上述した容器移送具における磁石２２を備える可撓性シース２、上述した先端に磁石を有する可撓性シャフト３ａ、上述した電磁石を有する容器移送具５ｅおよびコントローラ５０を用いてもよい。
【手続補正６】
【補正対象書類名】明細書
【補正対象項目名】００７８
【補正方法】変更
【補正の内容】
【００７８】
また、容器移送具５ｈは、図３４に示す状態、具体的には、シース先端内（容器収納部）に胚収納容器４ｈの本体部４１が収納され、シャフト３ｈの永久磁石３４に胚収納容器４ｈが吸引保持された状態となっている。そして、図３４に示すように、胚収納容器４ｈの本体部４１の筒状部の先端面に設けられた装着用脚部９１は、可撓性シース２ｈの外管２０内、言い換えれば、容器収納部には、進入できない。胚収納容器４ｈの装着用脚部９１は、後端面の一部が、可撓性シース２ｈの外管２０の先端面２０ｃに当接可能である。また、胚収納容器４ｈの装着用脚部９１は、可撓性シース２ｈの先端より、露出している。
【手続補正７】
【補正対象書類名】明細書
【補正対象項目名】００８１
【補正方法】変更
【補正の内容】
【００８１】
本発明の生体胚子宮内移植固定器具では、生体胚子宮内移植具により、胚を収納した胚収納容器を子宮内の適宜部位に配置することができ、生体胚子宮内移植具より離脱した胚収納容器は、磁気により、生体表面に配置された胚収納容器磁気的保持具により、子宮内適宜部位に保持される。そして、胚収納容器内にて、胚盤胞以上に成長した胚は、自ら胚収納容器より、逸出（言い換えれば、離脱）し、子宮内膜に付着し着床する。
【国際調査報告】
2018135496.tif 000037
2018135496.tif 000038
2018135496.tif 000039
2018135496.tif 000040